(57)【要約】【課題】インクジェットプリンタヘッドのような円柱状物品の固定調整冶具を提供する。【解決手段】プリンタヘッド４０を固定側１０にとりつける冶具は、固定側１０にとりつけられたホルダ１００を有し、締め付けネジ１０６で固定される。回転止めリング１２０はホルダ１００の穴１０８に挿入されるピン１３０を有し、プリンタヘッド４０の角度位置を規制する。高さ固定リング１４０は高さ調整ボルト１５０を有し、ホルダ１００からの高さ位置を規制する。【選択図】図１
2010069437.tif 000002
【特許請求の範囲】
【請求項１】
円柱状物品を軸線まわりの角度位置と軸線方向位置に調整可能に固定するための固定調整冶具であって、
固定側にとりつけられて円柱状物品を着脱自在に把持するホルダと、円柱状物品を着脱自在に把持してホルダに対して角度位置が規制される回転止めリングと、円柱状物品を着脱自在に把持してホルダに対して軸線位置が調整される高さ固定リングを備える円柱状物品の固定調整冶具。
【請求項２】
回転止めリングは、ホルダ側に突出するピンを備え、ホルダは回転止めリングのピンを摺動自在に受け入れる穴を備える請求項１記載の円柱状物品の固定調整冶具。
【請求項３】
回転止めリングは、高さ固定リングに螺合する調整ボルトが貫通する貫通穴を有し、調整ボルトはホルダに当接して高さ固定リングの高さ位置を調整する請求項１記載の円柱状物品の固定調整冶具。
【請求項４】
円柱状物品を着脱自在に把持する手段は、スリットと、スリットの幅寸法を締付けるボルトを備える請求項１記載の円柱状物品の固定調整冶具。
【発明の詳細な説明】
【技術分野】
【０００１】
本発明は円柱状物品の固定調整冶具に関する。
【背景技術】
【０００２】
産業用に使用される機器にはさまざまな形状をしたものがあるが、円柱（棒）形状したものも多い。例えば産業用インクジェットプリンタのプリンタヘッドや、画像処理に用いられるＣＣＤカメラやレンズ、照明機器等に代表される。これらの円柱状物は取付ホルダにより機器のフレームや柱などに固定される場合が多いが、取付けに際し円柱状物の軸方向及び回転方向に位置調整されて取付けられるものが多い。
【０００３】
例えばインクジェットプリンタのプリンタヘッドにおいては、印字対象物に対向して配置された円柱形状のプリンタヘッドの端面よりインク滴を飛ばすことで対象物の上に印字が形成されるが、より良い印字状態を形成する為には、
（１）ヘッドと対象物との距離、
（２）対象物に対するヘッドの傾き、
（３）ヘッドの軸周りの回転方向位置
をそれぞれ正確に調整する必要がある。
【０００４】
プリンタヘッドはノズルが目詰まりするトラブルを防止する為に、使用しない時にはホルダから取り外され溶剤に浸漬されて保管されることが多い。また、通常は取り外さないで使用する場合でも、ヘッドの洗浄や調整といったメンテナンスを行う場合はホルダから取り外される。再びホルダに固定される時には取り外す前と同じ位置に取り付けられること（位置再現性）が必要であり、円柱状物の取付冶具にはこのような機能を持つことが要求されている。
【０００５】
図８は取付冶具の例を示す説明図、図９はホルダから分離した状態を示す説明図である。
固定側１０にボルト１２を介してとりつけられるホルダ２０は、インクジェットプリンタの円柱状のプリンタヘッド４０が挿入される円筒穴を有する。ホルダ２０の先端部にはスリット２２が形成されており、締め付けボルト２４がスリット２２の幅寸法を縮小するように設けられている。締め付けボルト２４を緩めることにより、プリンタヘッド４０は軸方向Ｚと回転方向Ｒに自由に移動可能となり、締め付けボルト２４を締め付けることにより、プリンタヘッド４０はホルダ２０に固定される。
【０００６】
プリンタヘッド４０にあっては、軸方向Ｚの位置を調整してワークＷ１との距離Ｄ１を規定の距離に設定することが求められる。この距離Ｄ１が変化すると、プリントされる文字等のサイズに誤差が生ずる原因となる。同様に、プリンタヘッド４０の回転方向Ｒの位置もプリントされる文字の向きに影響を与えるので、規定の角度位置に設定する必要がある。
【０００７】
そこで、位置決めリング５０を用いる取付冶具が用いられる。このリング５０は、プリンタヘッド４０が貫通する穴を有し、一部にスリット５２が設けられる。締め付けボルト５４を締め付けることにより、リング５０をプリンタヘッド４０に固定することができる。またこのリング５０は、切欠き部５６を有する。
ホルダ２０の上面には、このリング５０の切欠き部５６に挿入されるピン２６が設けられている。
【０００８】
ホルダ側のピンとリングの切欠き部により回転方向の位置が規制され、また軸方向の位置はリングとホルダの接触面にて規制されることから再取付け時の位置再現性は確保される。しかしながら円柱状物のワークに対する位置を調整するにあたっては、ホルダとリング両方の締め付けボルトを緩めて行うことから円柱状物は回転方向と軸方向に自由な状態となりそれぞれ単独に調整が行えない状態になる。どちらか一方の調整のみ行えば良い場合であっても他方の位置も同時にずれてしまい、結果として位置調整の正確さを欠き、また調整にかかる時間も長くなるという不都合を生じていた。
【０００９】
円柱状物の固定装置としては、下記の特許文献にも開示されている。
【特許文献１】特開平１１−８２２４１号公報
【特許文献２】特開２００７−４８６００号公報
【発明の開示】
【発明が解決しようとする課題】
【００１０】
本発明の目的は、円柱状物を固定するホルダであって、円柱状物を再設置する際に軸方向及び回転方向の位置再現性があり、なおかつ軸方向、回転方向の位置調整がそれぞれ単独に行える円柱状物固定冶具を提供することにある。
【課題を解決するための手段】
【００１１】
上記目的を達成するために、本発明の固定調整冶具は基本的手段として、固定側にとりつけられて円柱状物品を着脱自在に把持するホルダと、円柱状物品を着脱自在に把持してホルダに対して角度位置が規制される回転止めリングと、円柱状物品を着脱自在に把持してホルダに対して軸線位置が調整される高さ固定リングを備えるものである。
そして、回転止めリングは、ホルダ側に突出するピンを備え、ホルダは回転止めリングのピンを摺動自在に受け入れる穴を備え、回転止めリングは、高さ固定リングに螺合する調整ボルトが貫通する貫通穴を有し、調整ボルトはホルダに当接して高さ固定リングの高さ位置を調整するものである。
さらに、円柱状物品を着脱自在に把持する手段は、スリットと、スリットの幅寸法を締付けるボルトを備える。
【発明の効果】
【００１２】
上述した手段を備えることにより、本発明は以下の効果を有するものである。
円柱状物の位置調整をする際、軸方向、回転方向の調整がそれぞれ独立して行える。これにより位置調整をより正確に、短時間で行うことが可能となる。
また、再取付け時の位置再現性は従来通り確保される。
【発明を実施するための最良の形態】
【００１３】
図１は、本発明の取付冶具の構成を示す正面図、図２は平面図、図３は側面図、図４はホルダから分離した状態を示す説明図である。
本発明の取付冶具も前述のものと同様に、例えばインクジェットプリンタの円柱形状のプリンタヘッド４０を固定側１０へ取りつける点では同様である。
取付冶具は固定側１０へボルト１０２により固定されるホルダ１００と、回転方向位置を規制する回転止めリング１２０と、軸方向位置を規制する高さ固定リング１４０で構成される。
【００１４】
ホルダ１００は、スリット１０４を有し、締め付けボルト１０６を締め付けることで、プリンタヘッド４０を固定する。また、ホルダ１００の上面には、２個の穴１０８が形成される。回転止めリング１２０は、スリット１２２と、締め付けボルト１２４を有し、ホルダ１００の２個の穴１０８に摺動自在に挿入される２本のピン１３０を備える。このピン１３０はビス１３２を用いて回転止めリング１２０に固着される。ビス１３２のかわりに、ピン１３０の上部にネジ部を形成してネジ止め構造とすることもできる。
【００１５】
回転止めリング１２０の上部に配置される高さ固定リング１４０は、スリット１４２と締め付けボルト１４４を有する。また、この高さ固定リング１４０は、ネジ部１５４が形成してあり、２本の高さ調整ボルト１５０が螺合されている。高さ調整ボルト１５０には固定ナット１５２が設けられており、高さ位置調整後の高さ調整ボルト１５０を固定する。高さ調整ボルトは回転止めリング１２０に設けた円弧溝１２６を貫通してその下端面がホルダ１００の上面に当接する。そこで、高さ調整ボルトを操作することによって、プリンタヘッド４０を把持した高さ固定リング１４０を軸方向に移動して、ホルダに対するプリンタヘッド４０の高さ位置を調整することができる。
【００１６】
プリンタヘッド４０の回転方向位置を調整する場合は、ホルダ１００と回転止めリング１２０のネジ１０６、１２４を緩めると、プリンタヘッド４０は回転方向Ｒに自由になる。この時高さ調整ボルト１５０の先端はホルダ１００の上面で規制されており、回転方向Ｒに調整後、高さ調整ボルト１５０の先端がホルダ１００の上面に接触した状態でホルダ１００のボルト１０６を締めれば軸方向へ移動することはない。
高さ調整ボトル１５０は、回転止めリング１２０の円弧溝１２６を貫通しているので、円弧溝１２６の範囲内で回転止めリング１２６を回転調整することができる。
【００１７】
プリンタヘッド４０を軸方向位置に調整する場合は、ホルダ１００のボルト１０６のみを緩め、さらに高さ調整ボルト１５０を固定しているナット１５２を緩め、高さ調整ボルト１５０を回転させてホルダ１００に対するプリンタヘッド４０の位置を調整する。この際回転方向Ｒにはピン１３０と穴１０８のかん合により位置を規制されている為移動しない。
【００１８】
以上のように、本発明にあっては、プリンタヘッドのような円柱状物の回転方向と軸方向それぞれ独立して調整が行える為に作業性が大きく向上する。
また、円柱状物をホルダから取り外す際はホルダ１００の締め付けボルト１０６のみを緩めればよく、取り外し時の作業性は従来と変わらず良好である。取付け時は前述のピン１３０と高さ調整ボルト１５０により再現性が保たれる。
【００１９】
図５は、本発明の使用例を示す正面図、図６は平面図、図７は側面図である。
全体を符号２００で示すインクジェットプリンタ装置は、フレーム２１０にとりつけられた軸受２２０により回転自在に支持されたロール２３０を有する搬送機構を備え、紙等のワークＷ１が送られる。スタンド２４０に対して本発明の取付冶具１００、１２０、１４０によって固定されたプリンタヘッド４０は、送られてくるワークＷ１に対して印字を行う。
【００２０】
本発明の取付冶具を用いることによってプリンタヘッド４０とワークＷ１との間の高さ距離Ｄ１は、常に一定に再現され、また軸まわりの角度位置も常に一定に規制される。
これにより、ワークＷ１に対して均一な品質の印字を行うことができる。また、プリンタヘッド４０の保守も容易となる。
上述した実施例においては、円筒形状のプリンタヘッドの例について説明したが、例えば、ＣＣＤカメラ等の円筒形状の機器に対しても当然に適用できるものである。
【図面の簡単な説明】
【００２１】
【図１】本発明の取付冶具を示す正面図
【図２】本発明の取付冶具を示す平面図
【図３】本発明の取付冶具を示す側面図
【図４】取付冶具をホルダから分離した状態を示す説明図
【図５】本発明の取付冶具の使用例を示す正面図
【図６】本発明の取付冶具の使用例を示す平面図
【図７】本発明の取付冶具の使用例を示す側面図
【図８】取付冶具の一般的な構造を示す説明図
【図９】取付冶具をホルダから分離した状態を示す説明図
【符号の説明】
【００２２】
１０  固定側
４０  円柱状物（プリンタヘッド）
１００  ホルダ
１０６  締め付けボルト
１０８  穴
１２０  回転止めリング
１２４  締め付けボルト
１２６  円弧溝
１３０  ピン
１４０  高さ固定リング
１４４  締め付けボルト
１５０  高さ調整ボルト
【図１】
2010069437.tif 000003
【図２】
2010069437.tif 000004
【図３】
2010069437.tif 000005
【図４】
2010069437.tif 000006
【図５】
2010069437.tif 000007
【図６】
2010069437.tif 000008
【図７】
2010069437.tif 000009
【図８】
2010069437.tif 000010
【図９】
2010069437.tif 000011